(57)【要約】【課題】使用中に破損するようなことがないのはもちろん、また製本様式を選ばず、簡単に製造することができ、しかも価格的な観点から実使用が可能なＩＣタグ付き本を提供すること。【解決手段】表紙２における表紙部２ａに、或いは特定のページに、或いは綴じ込みハガキに、帯状のＩＣタグ用インレットが天地方向に貼着された構成とする。天地方向は本を手でめくる際に曲がる方向と直交する方向であって、本の取扱い時に幅の小さなＩＣタグ用インレット１０には外力が掛かりにくいことから、ＩＣチップやアンテナ接合部が破損するようなことがない。そして、表紙における表紙部か、或いは特定のページか、或いは綴じ込みハガキのいずれかにＩＣタグ用インレットを貼着し、これらを用いて製本するだけでよいので、種々ある製本様式を問わない。大量生産による安価なＩＣタグ用インレットを単に貼着するだけであるので、コスト的に見ても実使用が可能である。【選択図】図１
2006297764.tif 000002
【特許請求の範囲】
【請求項１】
本文と表紙を備えた本であって、表紙に可撓性のある素材が使われており、その表紙における表紙部と背部のうちの表紙部に帯状のＩＣタグ用インレットが天地方向に貼着されていることを特徴とするＩＣタグ付き本。
【請求項２】
ＩＣタグ用インレットの貼着場所が本における背側から１／３以内に位置する場所であることを特徴とする請求項１に記載のＩＣタグ付き本。
【請求項３】
本文と表紙を備えた本であって、本文における特定のページに帯状のＩＣタグ用インレットが天地方向に貼着されていることを特徴とするＩＣタグ付き本。
【請求項４】
ＩＣタグ用インレットの貼着場所が本における背側から１／３以内に位置する場所であることを特徴とする請求項３に記載のＩＣタグ付き本。
【請求項５】
本文と表紙と綴じ込みハガキを備えた本であって、綴じ込みハガキに帯状のＩＣタグ用インレットが天地方向に貼着されていることを特徴とするＩＣタグ付き本。
【請求項６】
ＩＣタグ用インレットの貼着場所が本における背側から１／３以内に位置する場所であることを特徴とする請求項５に記載のＩＣタグ付き本。
【発明の詳細な説明】
【技術分野】
【０００１】
本発明は、書籍、雑誌等のいわゆる本の技術分野に属し、詳しくは、パッシブ型のＩＣタグを取り付けたＩＣタグ付き本に関するものである。
【背景技術】
【０００２】
近年、外部処理装置との通信を非接触で行うＩＣタグが一般に広く知られるようになってきた。このＩＣタグは、情報を発信するために電池を内蔵しているアクティブ型と、電池を内蔵せずに受けた電波で電力を得て発信するパッシブ型に分類される。このうちパッシブ型のＩＣタグは、リーダライタが電波を使って電力を送り込み、その電力でＩＣが起動するもので、その電波には指示や要求も載っており、リーダライタから電力と命令を同時に受け取るようになっている。そして、ＩＣタグはその指示に対する答えを搬送波と呼ばれる電波に載せて送り出す。電波の到達距離は最大で数メートルと短いが、小型かつ軽量で、アクティブ型に比べると非常に安価に製造できる。そのため、今後はパッシブ型のＩＣタグが多くの商品などに搭載されることが期待されている。
【０００３】
このパッシブ型のＩＣタグは、ＩＣチップとアンテナを備えていさえすればどんな形状であってもよい。例えば、円盤型、円筒型、カード型、箱型などがあるが、いずれも長い方向で数センチほどの大きさである。また、研究開発が進み、価格についても安価になることが見えてきたことから、様々な商品にＩＣタグをつけて物流過程、保管時等における情報管理を可能にすることが提案されている。例えば、書籍、雑誌等の本にＩＣタグを付けることにより、万引き防止機能を付与するのみならず、流通過程において必要な情報の管理を行うようにしたものが提案されている。
【特許文献１】特開２００３−６３６５５号公報
【発明の開示】
【発明が解決しようとする課題】
【０００４】
上記した特許文献１に記載されている書籍、雑誌等の本は、背部の表紙内側にＩＣタグを備えた構造をしている。このため、使用中にＩＣチップやアンテナ接合部が破損するようなことはない。しかしながら、いずれも背側の接着剤を利用してＩＣタグを取り付けるようになっているため、上製本のような背に接着剤を使用するタイプの本にしか取り付けることができず、雑誌等の形態で大量に流通する中綴じ本などには適用できないという問題点がある。また、製本工程の途中で本の背側の所定位置にＩＣタグをセットする必要があるので作製が全く簡単であるとは言えない。
【０００５】
一方、上記したパッシブ型のＩＣタグは、小型化・低価格化に向けての研究開発が行われており、最近では、極小のＩＣチップに外部アンテナを装着し、テープ状にした印刷アンテナインレット型のＩＣタグ用インレットが供給されている。そして、このＩＣタグ用インレットを用いてタグ化することで、各種用途に応じた形態のＩＣタグを製造することができるようになっており、ＩＣタグの普及を図る上においてこの小さくて安価なＩＣタグ用インレットを利用することが望ましいという背景がある。
【０００６】
本発明は、上記のような問題点や事情に鑑みてなされたものであり、その目的とするところは、使用中に破損するようなことがないのはもちろん、また製本様式を選ばず、簡単に製造することができ、しかも価格的な観点から実使用が可能なＩＣタグ付き本を提供することにある。
【課題を解決するための手段】
【０００７】
請求項１に記載の発明であるＩＣタグ付き本は、本文と表紙を備えた本であって、表紙に可撓性のある素材が使われており、その表紙における表紙部と背部のうちの表紙部に帯状のＩＣタグ用インレットが天地方向に貼着されていることを特徴としている。
【０００８】
請求項２に記載の発明であるＩＣタグ付き本は、請求項１に記載のＩＣタグ付き本において、ＩＣタグ用インレットの貼着場所が本における背側から１／３以内に位置する場所であることを特徴としている。
【０００９】
請求項３に記載の発明であるＩＣタグ付き本は、本文と表紙を備えた本であって、本文における特定のページに帯状のＩＣタグ用インレットが天地方向に貼着されていることを特徴としている。
【００１０】
請求項４に記載の発明であるＩＣタグ付き本は、請求項３に記載のＩＣタグ付き本において、ＩＣタグ用インレットの貼着場所が本における背側から１／３以内に位置する場所であることを特徴としている。
【００１１】
請求項５に記載の発明であるＩＣタグ付き本は、本文と表紙と綴じ込みハガキを備えた本であって、綴じ込みハガキに帯状のＩＣタグ用インレットが天地方向に貼着されていることを特徴としている。
【００１２】
請求項６に記載の発明であるＩＣタグ付き本は、請求項５に記載のＩＣタグ付き本において、ＩＣタグ用インレットの貼着場所が本における背側から１／３以内に位置する場所であることを特徴としている。
【発明の効果】
【００１３】
本発明のＩＣタグ付き本は、表紙における表紙部に、或いは特定のページに、或いは綴じ込みハガキに、帯状のＩＣタグ用インレットが天地方向に貼着されており、この方向は本を手でめくる際に曲がる方向と直交する方向であって、本の取扱い時に幅の小さなＩＣタグ用インレットには外力が掛かりにくいことから、ＩＣチップやアンテナ接合部が破損するようなことがない。そして、表紙における表紙部か、或いは特定のページか、或いは綴じ込みハガキのいずれかにＩＣタグ用インレットを貼着し、これらを用いて製本するだけでよいので、種々ある製本様式を問わず、いかなる製本様式の本に対しても適用することができる。しかも、大量生産による安価なＩＣタグ用インレットを単に貼着するだけであるので、コスト的に見ても実使用が可能である。
【００１４】
また、ＩＣタグ用インレットの貼着場所を本における背側から１／３以内に位置する場所とすることにより、この場所は本の取扱い上、作用する応力が小さい位置であるので、この場所に貼着したＩＣタグ用インレットに余計な外力が掛からず、破損防止の効果がより大きなものとなる。
【発明を実施するための最良の形態】
【００１５】
以下、具体例を挙げて本発明の実施の形態について説明する。
【００１６】
図１は本発明に係るＩＣタグ付き本の一例をその表紙部を開いた状態で示す斜視図、図２は同じく閉じた状態で示す斜視図である。
【００１７】
これらの図に示すＩＣタグ付き本Ｂは無線綴じ本に適用したもので、背の部分を接着剤で接合された本文１とその接着剤により貼り付けられた表紙２とを備えており、表紙２には可撓性のある素材が使われている。そして、その表紙２における表紙部２ａと背部２ｂのうちの表紙部２ａの裏側に帯状のＩＣタグ用インレット１０が天地方向に貼着されている。図２においてａ：ｂ＝１：３であり、これから分かるように、ＩＣタグ用インレット１０の貼着場所は、本における背側から１／３以内に位置する場所になっている。
【００１８】
ＩＣタグ用インレット１０としては、図３に示すようなものが使用される。このＩＣタグ用インレット１０は、０．０１〜０．５ｍｍ角の小さなＩＣチップ１１（例えばミューチップ）を用い、これに長さ５０〜６０ｍｍの外部アンテナ１２を装着して幅が約１ｍｍのテープ状としたものであり、ＩＣチップ１１はＰＥＴフィルム等の絶縁性のベースフィルム１３上に載置接合され、外部アンテナ１２はそのベースフィルム１３上に印刷により形成される。またＩＣチップ１１は表面及び側面が樹脂封止された状態で外部アンテナ１２に接続される。外部アンテナ１２の略中央部には、その一端が外部アンテナ１２の外縁に達するＬ字状のスリット１４が形成されており、このスリット１４の途中に樹脂封止されたＩＣチップ１１が実装されている。また、ベースフィルム１３にはＩＣチップ１１や外部アンテナ１２を保護するためのカバーフィルムが必要に応じてラミネートされる。この外部アンテナ１２付きのＩＣチップ１１は、アンテナ内蔵型のＩＣチップを用いたものよりは通信距離が長く、広い範囲で用いることができるものであり、本発明で使用できるものとして色々の種類がある。このようなＩＣタグ用インレット１０は、印刷技術によりアンテナを作製することと、超音波接合技術により安価なフィルム素材を利用することで、大量生産でき、安価に供給することができる。
【００１９】
このテープ状のＩＣタグ用インレットをロール状に巻き取った状態とし、製本ライン上で、既存のシーラーにより、順次繰り出しながら裁断しつつ、一個一個をを順次表紙２の内面側に貼り付ける。或いは、表紙２に予め貼着しておいてもよい。なお、透明なフィルム１３を用いると、小さなＩＣチップ１１以外の部分は透明になるので、ＩＣタグ用インレット１０は殆ど目立たない状態になる。図１及び図２に示した表紙部２に貼着するタイプでは、表紙部２の表側に貼着してもよいが、この場合に透明フィルム１３のＩＣタグ用インレット１０を使用すると目立たなくできる。
【００２０】
図４は本発明に係るＩＣタグ付き本の別の例をその表紙部を開いた状態で示す斜視図である。
【００２１】
この図４に示すＩＣタグ付き本Ｂも無線綴じ方式の本に適用したもので、背の部分を接着剤で接合された本文１とその接着剤により貼り付けられた表紙２とを備えている。そして、本文１における最初のページ１ａに帯状のＩＣタグ用インレット１０が天地方向に貼着されている。図４においてａ：ｂ＝１：３であり、このＩＣタグ付き本Ｂの場合も、ＩＣタグ用インレット１０の貼着場所は、本における背側から１／３以内に位置する場所になっている。ＩＣタグ用インレット１０は、製本ライン上で、既存のシーラーにより、順次繰り出しながら裁断しつつ、一個一個をそれぞれ１頁目となる折丁の所定場所に貼り付ける。或いは、折丁に予め貼着しておいてもよい。
【００２２】
図５は本発明に係るＩＣタグ付き本のさらに別の例をその表紙部を開いた状態で示す斜視図である。
【００２３】
この図５に示すＩＣタグ付き本Ｂも無線綴じ方式の本に適用したもので、背の部分を接着剤で接合された本文１とその接着剤により貼り付けられた表紙２に加え、表紙部２ａと最初のページ１ａの間に綴じ込まれたハガキ３を備えている。そして、ハガキ３に帯状のＩＣタグ用インレット１０が天地方向に貼着されている。図５においてａ：ｂ＝１：３であり、このＩＣタグ付き本Ｂの場合も、ＩＣタグ用インレット１０の貼着場所は、本における背側から１／３以内に位置する場所になっている。ＩＣタグ用インレット１０は、製本ライン上で、既存のシーラーにより、順次繰り出しながら裁断しつつ、一個一個をそれぞれハガキの所定場所に貼り付ける。或いは、ハガキに予め貼着しておいてもよい。
【００２４】
一般に、本を手で持って開く時は、小口側を掴んでページをくることから、小口側から離れるほど本の曲がりが少ない。そして、経験上、本における背側から１／３以内のところは曲がりが少ないことが分かっている。したがって、上記で挙げたそれぞれの例のように、天地方向で貼着するＩＣタグ用インレット１０の取付け位置を本における背側から１／３以内とすれば、取り付ける向きと取付け場所の効果が相まって、本の取扱い時にＩＣタグ用インレット１０には外力が掛かりにくいことになる。
【００２５】
以上、具体例を挙げて本発明を説明したが、本発明によるＩＣタグ付き本は、上記の例に何ら限定されるものではなく、本発明の趣旨を逸脱しない範囲において種々の変更が可能であることは当然のことである。
【００２６】
例えば、上記した３つの例では、無線綴じ本を対象にしたが、本発明のＩＣタグ付き本は、表紙における表紙部に、或いは特定のページに、或いは綴じ込みハガキに、帯状のＩＣタグ用インレットを貼着しただけの構成であるので、上記した無線綴じ方式の他にも、中綴じ、アジロ綴じ、かがり綴じ、或いは並製本、上製本と種々ある製本様式を問わず、いかなる製本様式の本に対しても適用することができる。そして、ＩＣタグ用インレットの貼着は、現状行われている製本ライン上でのシール貼りで対応でき、新たな設備投資を殆ど必要としない。
【００２７】
また、上記した３つの例では、いずれもＩＣタグ用インレットの貼着場所を本における背側から１／３以内に位置する場所としたが、貼着場所がそれよりも小口側であっても、帯状のＩＣタグ用インレットが天地方向を向いているので、使用時におけるＩＣタグ用インレットの破損防止効果をある程度は期待できるものである。
【図面の簡単な説明】
【００２８】
【図１】本発明に係るＩＣタグ付き本の一例をその表紙部を開いた状態で示す斜視図である。
【図２】同じく閉じた状態で示す斜視図である。
【図３】本発明で使用するＩＣタグ用インレットの一例を示す平面図である。
【図４】本発明に係るＩＣタグ付き本の別の例をその表紙部を開いた状態で示す斜視図である。
【図５】本発明に係るＩＣタグ付き本のさらに別の例をその表紙部を開いた状態で示す斜視図である。
【符号の説明】
【００２９】
Ｂ  ＩＣタグ付き本
１  本文
２  表紙
２ａ  表紙部
２ｂ  背部
３  ハガキ
１０  ＩＣタグ用インレット
１１  ＩＣチップ
１２  外部アンテナ
１３  ベースフィルム
１４  スリット
【図１】
2006297764.tif 000003
【図２】
2006297764.tif 000004
【図３】
2006297764.tif 000005
【図４】
2006297764.tif 000006
【図５】
2006297764.tif 000007